(57)【要約】【課題】予め余長として定着具から延出させておいたＰＣ鋼材の端部を誤って切断してしまった場合、完成したプレストレストコンクリート構造物に、再度、緊張力を与えたいときには、プレストレストコンクリートのプレストレスを再調整し得、構造物全体の精度並びに信頼性の向上につながるプレストレストコンクリートのプレストレス再調整工法及び装置を提供する。【解決手段】定着具３を把持手段７によって把持し、該把持手段７に対してＰＣ鋼材２の軸線延長上に延びるよう連結したテンションバー８をその軸線方向にジャッキ４によって引っ張る。【選択図】　　　　図３
2004044228.tif 000002
【特許請求の範囲】
【請求項１】
端面から突出するＰＣ鋼材の端部を定着具によって固定してなるプレストレストコンクリートのプレストレス再調整工法であって、
ＰＣ鋼材の定着具を把持手段によって把持し、該把持手段に対してＰＣ鋼材の軸線延長上に延びるよう連結したテンションバーをその軸線方向にジャッキによって引っ張ることを特徴とするプレストレストコンクリートのプレストレス再調整工法。
【請求項２】
端面から突出するＰＣ鋼材の端部を定着具によって固定してなるプレストレストコンクリートのプレストレス再調整装置であって、
ＰＣ鋼材の定着具を把持する把持手段と、
該把持手段に対してＰＣ鋼材の軸線延長上に延びるよう連結されるテンションバーと、
該テンションバーをその軸線方向に引っ張るジャッキと
を備えたことを特徴とするプレストレストコンクリートのプレストレス再調整装置。
【請求項３】
把持手段を、
外周面にネジ部が形成され且つ内周面が擂鉢状円錐面とされ、定着具の外周に配設されるソケットと、
定着具を覆うように前記ソケットに対して螺嵌され、テンションバーが連結されるチャックケースと、
該チャックケース内に形成される前記ソケットと定着具との間の空隙に拡縮自在に配設され、前記チャックケースのソケットに対する締め付けに伴う楔効果により、定着具に対して締め込まれるチャックと
から構成した請求項２記載のプレストレストコンクリートのプレストレス再調整装置。
【発明の詳細な説明】
【０００１】
【発明の属する技術分野】
本発明は、プレストレストコンクリートのプレストレス再調整工法及び装置に関するものである。
【０００２】
【従来の技術】
一般に、プレストレストコンクリート（ＰＣ：Ｐｒｅｓｔｒｅｓｓｅｄ　Ｃｏｎｃｒｅｔｅ）は、静荷重や動荷重による引張応力を打ち消すように、ＰＣ鋼材によってプレストレスが与えられているコンクリートであり、橋梁における床版等として用いられている。
【０００３】
前記プレストレストコンクリートの場合、図７に示される如く、プレストレストコンクリート１の端面から突出するＰＣ鋼材２の端部を定着具３によって固定しているが、プレストレストコンクリート１のプレストレスを再調整するために、前記ＰＣ鋼材２を再度緊張させるような場合には、該ＰＣ鋼材２の端部を予め余長として定着具３から延出させておき、該ＰＣ鋼材２の端部を、図７（ａ）に示されるように、センターホール式のジャッキ４に貫通させ、該ジャッキ４に内蔵されているウェッジ５に把持せしめ、この状態から、図７（ｂ）に示されるように、ジャッキ４を伸長させるようになっている。
【０００４】
尚、図７中、６はプレストレストコンクリート１の端面に埋め込まれた支圧板であり、該支圧板６によって、定着具３がプレストレストコンクリート１に食い込もうとする力を受けるようになっている。
【０００５】
【発明が解決しようとする課題】
しかしながら、前述の如く、予め余長として定着具３から延出させておいたＰＣ鋼材２の端部を誤って切断してしまった場合、完成したプレストレストコンクリート構造物に、再度、緊張力を与えたいときには、ジャッキ４のウェッジ５にＰＣ鋼材２を把持させて再度緊張させることができず、プレストレストコンクリート１のプレストレスを再調整することが困難となっていた。
【０００６】
本発明は、斯かる実情に鑑み、予め余長として定着具から延出させておいたＰＣ鋼材の端部を誤って切断してしまった場合、完成したプレストレストコンクリート構造物に、再度、緊張力を与えたいときには、プレストレストコンクリートのプレストレスを再調整し得、構造物全体の精度並びに信頼性の向上につながるプレストレストコンクリートのプレストレス再調整工法及び装置を提供しようとするものである。
【０００７】
【課題を解決するための手段】
本発明は、端面から突出するＰＣ鋼材の端部を定着具によって固定してなるプレストレストコンクリートのプレストレス再調整工法であって、
ＰＣ鋼材の定着具を把持手段によって把持し、該把持手段に対してＰＣ鋼材の軸線延長上に延びるよう連結したテンションバーをその軸線方向にジャッキによって引っ張ることを特徴とするプレストレストコンクリートのプレストレス再調整工法にかかるものである。
【０００８】
又、本発明は、端面から突出するＰＣ鋼材の端部を定着具によって固定してなるプレストレストコンクリートのプレストレス再調整装置であって、
ＰＣ鋼材の定着具を把持する把持手段と、
該把持手段に対してＰＣ鋼材の軸線延長上に延びるよう連結されるテンションバーと、
該テンションバーをその軸線方向に引っ張るジャッキと
を備えたことを特徴とするプレストレストコンクリートのプレストレス再調整装置にかかるものである。
【０００９】
上記手段によれば、以下のような作用が得られる。
【００１０】
予め余長として定着具から延出させておいたＰＣ鋼材の端部を誤って切断してしまった場合、完成したプレストレストコンクリート構造物に、再度、緊張力を与えたいときには、定着具を把持手段によって把持し、該把持手段に対してＰＣ鋼材の軸線延長上に延びるよう連結したテンションバーをその軸線方向にジャッキによって引っ張るようにすると、ＰＣ鋼材を再度緊張させることができ、プレストレストコンクリートのプレストレスを再調整することが可能となる。
【００１１】
一方、前記プレストレストコンクリートのプレストレス再調整装置においては、把持手段を、
外周面にネジ部が形成され且つ内周面が擂鉢状円錐面とされ、定着具の外周に配設されるソケットと、
定着具を覆うように前記ソケットに対して螺嵌され、テンションバーが連結されるチャックケースと、
該チャックケース内に形成される前記ソケットと定着具との間の空隙に拡縮自在に配設され、前記チャックケースのソケットに対する締め付けに伴う楔効果により、定着具に対して締め込まれるチャックと
から構成することができる。
【００１２】
【発明の実施の形態】
以下、本発明の実施の形態を図示例と共に説明する。
【００１３】
図１〜図６は本発明を実施する形態の一例であって、図中、図７と同一の符号を付した部分は同一物を表わしており、定着具３を把持手段７によって把持し、該把持手段７に対してＰＣ鋼材２の軸線延長上に延びるよう連結したテンションバー８をその軸線方向にジャッキ４によって引っ張るようにしたものである。
【００１４】
前記ジャッキ４は、定着具３を把持する把持手段７の両脇を囲うようにプレストレストコンクリート１の端面にセットされる門型のラムチェア９に取り付けてあり、又、前記テンションバー８の一端部は、把持手段７の後述するチャックケース１５のネジ孔１４に螺着し、その他端部は、前記ラムチェア９とジャッキ４を貫通させて、該ジャッキ４のナット１０に螺着してある。
【００１５】
前記把持手段７は、図４に示す如く、外周面にネジ部１１が形成され且つ内周面が擂鉢状円錐面１２とされ、定着具３の外周に配設されるソケット１３と、定着具３を覆うように前記ソケット１３に対して螺嵌され且つテンションバー８がネジ孔１４に螺着されるチャックケース１５と、該チャックケース１５内に形成される前記ソケット１３と定着具３との間の空隙に拡縮自在に配設され、前記チャックケース１５のソケット１３に対する締め付けに伴う楔効果により、定着具３に対して締め込まれるチャック１６とを備えてなる構成を有している。尚、図４中、１７は前記チャックケース１５とチャック１６との間に介装される滑りプレートであって、該滑りプレート１７によって、前記チャックケース１５のソケット１３に対する締め付け時にチャック１６端面との摺動抵抗を低減するようにしてある。
【００１６】
前記把持手段７のチャック１６は、図５及び図６に示す如く、外周面を前記ソケット１３の擂鉢状円錐面１２と係合する円錐面１８とすると共に、円周方向複数箇所（図６の例では四箇所）に軸線方向ヘ延びる拡縮用のスリット１９を形成し、内周面に定着具３表面との摩擦力を高めるための多数の溝２０を刻設してある。
【００１７】
次に、上記図示例の作用を説明する。
【００１８】
プレストレストコンクリート１のプレストレスを再調整するために、前記ＰＣ鋼材２を再度緊張させるような場合には、先ず、把持手段７のチャック１６を緩めた状態で定着具３に嵌装し、チャックケース１５をソケット１３に対して締め付けていくと、滑りプレート１７を介してチャック１６がソケット１３に対して押し込まれ、その楔効果により、定着具３が強固に把持される形となる。
【００１９】
続いて、チャックケース１５のネジ孔１４にテンションバー８の一端部を螺着した後、該テンションバー８の他端部をラムチェア９とジャッキ４を貫通させて、該ジャッキ４のナット１０に螺着しつつ、該ラムチェア９を把持手段７の両脇を囲うようにプレストレストコンクリート１の端面にセットし、この状態から、ジャッキ４を伸長させると、前記定着具３を把持した把持手段７がテンションバー８を介して引っ張られ、定着具３とプレストレストコンクリート１端面との間に隙間が生じ、該隙間に対し、シムプレート（図示せず）をラムチェア９の上側から嵌挿すれば、ＰＣ鋼材２を再度緊張させた状態に保持することが可能となる。
【００２０】
この結果、予め余長として定着具３から延出させておいたＰＣ鋼材２の端部を誤って切断してしまった場合、完成したプレストレストコンクリート構造物に、再度、緊張力を与えたいときには、前述の如く、定着具３を把持手段７によって把持し、該把持手段７に対してＰＣ鋼材２の軸線延長上に延びるよう連結したテンションバー８をその軸線方向にジャッキ４によって引っ張るようにすることにより、ＰＣ鋼材２を再度緊張させることができ、プレストレストコンクリート１のプレストレスを再調整することが可能となる。
【００２１】
こうして、予め余長として定着具３から延出させておいたＰＣ鋼材２の端部を誤って切断してしまった場合、完成したプレストレストコンクリート構造物に、再度、緊張力を与えたいときには、プレストレストコンクリート１のプレストレスを再調整し得、構造物全体の精度並びに信頼性の向上につながる。
【００２２】
尚、本発明のプレストレストコンクリートのプレストレス再調整工法及び装置は、上述の図示例にのみ限定されるものではなく、本発明の要旨を逸脱しない範囲内において種々変更を加え得ることは勿論である。
【００２３】
【発明の効果】
以上、説明したように本発明のプレストレストコンクリートのプレストレス再調整工法及び装置によれば、予め余長として定着具から延出させておいたＰＣ鋼材の端部を誤って切断してしまった場合、完成したプレストレストコンクリート構造物に、再度、緊張力を与えたいときには、プレストレストコンクリートのプレストレスを再調整し得、構造物全体の精度並びに信頼性の向上につながるという優れた効果を奏し得る。
【図面の簡単な説明】
【図１】本発明を実施する形態の一例の平面図である。
【図２】本発明を実施する形態の一例の側面図であって、図１のＩＩ−ＩＩ矢視相当図である。
【図３】図２のＩＩＩ−ＩＩＩ断面図である。
【図４】本発明を実施する形態の一例における把持手段の平断面拡大図である。
【図５】本発明を実施する形態の一例における把持手段のチャックを表わす拡大断面図である。
【図６】図５のＶＩ−ＶＩ矢視図である。
【図７】従来例の側面図であって、（ａ）はジャッキを伸長させる前の状態を表わす図、（ｂ）はジャッキを伸長させた状態を表わす図である。
【符号の説明】
１　　プレストレストコンクリート
２　　ＰＣ鋼材
３　　定着具
４　　ジャッキ
７　　把持手段
８　　テンションバー
９　　ラムチェア
１１　　ネジ部
１２　　擂鉢状円錐面
１３　　ソケット
１５　　チャックケース
１６　　チャック
【図１】
2004044228.tif 000003
【図２】
2004044228.tif 000004
【図３】
2004044228.tif 000005
【図４】
2004044228.tif 000006
【図５】
2004044228.tif 000007
【図６】
2004044228.tif 000008
【図７】
2004044228.tif 000009